(57)【特許請求の範囲】
【請求項１】
平板状のエアフィルタ用濾材がフィルタ枠に収納されてなるフィルタ、及び／又は、シート状のエアフィルタ用濾材がプリーツ形成されたフィルタエレメントがフィルタ枠に収納されてなるフィルタをフィルタケーシングに押し付けて取付けるためのフィルタ取付け構造体であって、
スライド体と、前記スライド体をスライド可能に規制する固定部材と、フィルタ押し付け部材と、前記スライド体と前記固定部材と前記フィルタ押し付け部材とをこの順に連結する連結部材とからなり、前記スライド体はフィルタの押し付け方向に対して斜めの方向が長手方向となっている第１の長穴を備えており、前記固定部材はフィルタの押し付け方向が長手方向となっている第２の長穴を備えており、前記連結部材は第１の長穴と第２の長穴とに挿入され且つ前記フィルタ押し付け部材に固定されており、前記スライド体を前記固定部材によって規制しつつスライドさせることにより、フィルタ押し付け部材がフィルタケーシングの空気流入側又は空気流出側の方向に移動して、フィルタをフィルタケーシングに押し付けることが可能となっていることを特徴とするフィルタ取付け構造体。
【請求項２】
前記フィルタ枠はフィルタケーシングに接する面にパッキンが固着して成ることを特徴とする請求項１記載のフィルタ取付け構造体。
【発明の詳細な説明】
【技術分野】
【０００１】
本発明は、ビル空調、工場空調、病院空調などの空調設備において、エアフィルタをフィルタケーシングに取付けるためのフィルタ取付け構造体に関する。
【背景技術】
【０００２】
ビル空調、工場空調、病院空調などの空調設備には、外気中の塵埃を除去するためエアフィルタが用いられており、このようなエアフィルタは目詰まりして圧力損失が上昇した時に、新しいエアフィルタと交換できるように着脱自在にフィルタケーシングに取付けられている。従来からこの取付け作業は煩雑で多大な時間を要するという問題があり、その解決方法として例えば特許文献１のエアフィルタ取付け部材が知られている。
【０００３】
このエアフィルタ取付け部材は、図９に示すように、フィルタ押し付け材１１０とベース材１２０との間に、フィルタ押え方向と略同方向のスライド穴１３１を有するフィルタ押え材１３０を、ベース材の固定軸１２１を該スライド穴１３１に貫入することにより一体化しており、ネジ機構によりフィルタ押付け材１１０が矢印（ロ）及び（ハ）の方向に移動すると、これに伴ってフィルタ押え材１３０も、矢印（ハ）の方向に移動し、フィルタを締めつけて固定するようになっている。
【０００４】
しかし、このようなエアフィルタ取付け部材にあっては、ネジ機構によりフィルタ押付け材１１０が矢印（ロ）及び（ハ）の方向に移動するため、それに伴いネジ機構自体も（ハ）の方向に移動することになる。詳細にはベース材１２０の端部に開けられた長穴１２２に貫入したボルトの頭を、スパナなどを用いて回転させると、ボルトの頭がこの長穴に押し付けられながら長穴に沿って（ハ）の方向に移動することになる。このため操作しづらいという問題があった。
【先行技術文献】
【特許文献】
【０００５】
【特許文献１】実開昭６３−１８５４２９号公報
【発明の概要】
【発明が解決しようとする課題】
【０００６】
本発明は、上記問題を解決して、フィルタをフィルタケーシングに押し付けて取付ける際に、容易に操作が可能なフィルタ取付け構造体を提供することを課題とする。
【課題を解決するための手段】
【０００７】
上記課題を解決するため、請求項１に係る発明では、平板状のエアフィルタ用濾材がフィルタ枠に収納されてなるフィルタ、及び／又は、シート状のエアフィルタ用濾材がプリーツ形成されたフィルタエレメントがフィルタ枠に収納されてなるフィルタをフィルタケーシングに押し付けて取付けるためのフィルタ取付け構造体であって、スライド体と、前記スライド体をスライド可能に規制する固定部材と、フィルタ押し付け部材と、前記スライド体と前記固定部材と前記フィルタ押し付け部材とをこの順に連結する連結部材とからなり、前記スライド体はフィルタの押し付け方向に対して斜めの方向が長手方向となっている第１の長穴を備えており、前記固定部材はフィルタの押し付け方向が長手方向となっている第２の長穴を備えており、前記連結部材は第１の長穴と第２の長穴とに挿入され且つ前記フィルタ押し付け部材に固定されており、前記スライド体を前記固定部材によって規制しつつスライドさせることによりフィルタ押し付け部材がフィルタケーシングの空気流入側又は空気流出側の方向（以下、単に「フィルタケーシング方向」と称する場合がある。）に移動して、フィルタをフィルタケーシングに押し付けることが可能となっていることを特徴とするフィルタ取付け構造体をその解決手段とした。
また、請求項２に係る発明によれば、前述したフィルタ枠がフィルタケーシングに接する面にパッキンを固着して構成するフィルタ取付け構造体とすることができる。
【発明の効果】
【０００８】
本発明によって、フィルタをフィルタケーシングに押し付けて取付ける際に、容易に操作が可能なフィルタ取付け構造体を提供することが可能となった。
【図面の簡単な説明】
【０００９】
【図１】本発明のフィルタ取付け構造体の一例を示す斜視図である。
【図２】本発明のフィルタ取付け構造体の一例の断面図である。（ａ）はフィルタをフィルタケーシングに押し付けた状態を示す図であり、（ｂ）はフィルタケーシングへの押し付けからフィルタを開放した状態を示す図である。
【図３】本発明のフィルタ取付け構造体の組み立ての一例を示す斜視図である。
【図４】本発明のフィルタ取付け構造体の一例の部分拡大を示す斜視図である。
【図５】本発明のフィルタ取付け構造体の別の例の部分拡大を示す斜視図である。
【図６】本発明のフィルタ取付け構造体の別の例を示す断面図である。
【図７】本発明のフィルタ取付け構造体の組み立ての別の例を示す斜視図である。
【図８】本発明のフィルタ取付け構造体の別の例の部分拡大図である。（ａ）はスライド体４０の斜視図であり、（ｂ）は固定部材５０の下部分の斜視図であり、（ｃ）はファスナー部材９０を組み立てた時の立面図であり、（ｄ）はスライド体と固定部材とを組み立てた図である。
【図９】従来のフィルタ取付け構造体を示す図である。
【発明を実施するための形態】
【００１０】
以下、本発明に係るフィルタ取付け構造体の実施の形態について詳細に説明する。
【００１１】
本発明のフィルタ取付け構造体３０は、図１〜図３に例示するように、フィルタ１０をフィルタケーシング２０に押し付けて取付けるためのフィルタ取付け構造体３０であって、スライド体４０と、前記スライド体４０をスライド可能に規制する固定部材５０と、フィルタ押し付け部材７０と、前記スライド体４０と前記固定部材５０と前記フィルタ押し付け部材７０とをこの順に連結する連結部材６０とからなり、前記スライド体４０はフィルタの押し付け方向に対して斜めの方向が長手方向となっている第１の長穴４１を備えており、前記固定部材５０はフィルタの押し付け方向が長手方向となっている第２の長穴５１を備えており、前記連結部材６０は第１の長穴４１と第２の長穴５１とに挿入され且つ前記フィルタ押し付け部材７０に固定されており、前記スライド体４０を前記固定部材５０によって規制しつつスライドさせることにより、フィルタ押し付け部材７０がフィルタケーシング２０の空気流入側又は空気流出側の方向（図１ではフィルタケーシング２０の空気流入側の方向）に移動して、フィルタ１０をフィルタケーシング２０に押し付けることが可能となっている。なお、ここでいう「フィルタケーシング２０の空気流入側又は空気流出側」とは、フィルタ１０がフィルタケーシング２０に押し付けられる部分における「フィルタケーシング２０の空気流入側又は空気流出側」を意味している。したがって、例えば図１においてフィルタケーシングの前方にもフィルタケーシングが延設されており、その延設部分の上方から空気を取り入れるような場合、その空気の取り入れ口を意味していない。
【００１２】
前記フィルタケーシング２０は、図１に例示するようにフィルタ１０を押し付けて取付けることが可能なように、空気の流れ方向に対して交差する方向にフレームを組み立てて形成された構造体として空調設備に設置されている。本発明では、フィルタ１０を押し付ける方向は空気の流れに対して同方向であることも、逆の方向であることも可能である。したがって、フィルタ１０を押し付ける方向が空気の流れに対して同方向である場合は、フィルタ押し付け部材７０がフィルタケーシング２０の空気流出側の方向に移動する構造となり、フィルタ１０を押し付ける方向が空気の流れに対して逆の方向である場合は、フィルタ押し付け部材７０がフィルタケーシング２０の空気流入側の方向に移動する構造となる。図１の例では空気の流れに対して逆の方向にフィルタ１０を押し付ける構造となっており、この場合、フィルタ取付け構造体３０を構成する各部材に塵埃が付着せずメンテナンスが容易になるという利点がある。また、図１においてフィルタ１０を押し付ける方向が空気の流れに対して同方向である場合は、フィルタ取付け構造体３０を構成する各部材から発生する錆や磨耗粉などが下流側に流れる恐れがないという利点があり、中高性能のフィルタを使用する場合に適している。
【００１３】
また図１ではフィルタケーシング２０は断面コ字形のチャンネル材や中空の鉄骨を組み合わせて形成されている。また、図１に示すように、フィルタケーシング２０はフィルタ１０が接する箇所に受け板２１を有していることが好ましく、フィルタ１０とフィルタケーシング２０の間のシールを確実にすることができる。
【００１４】
前記フィルタ１０としては、例えば不織布等からなる平板状のエアフィルタ用濾材がフィルタ枠１１に収納されている形態のものや、不織布等からなるシート状のエアフィルタ用濾材が一定間隔で折り曲げられてプリーツが形成されたフィルタエレメントがフィルタ枠１１に収納されている形態のものが適用される。またフィルタ枠１１にはフィルタケーシング２０に接する面にパッキン１２が固着していることが好ましく、パッキン１２の固着によって、フィルタ１０とフィルタケーシング２０の間のシールを確実にすることができる。また、パッキンはフィルタケーシング２０側に固着することも可能であるが、パッキンの消耗により取り替える必要があり、その手間を考慮するとフィルタ枠に固着することが好ましい。
【００１５】
図１の例では、フィルタ１０はフィルタケーシング２０の上段に３個、下段に３個がそれぞれ連結した状態で、フィルタケーシング２０の側方から挿入されている。フィルタ１０の連結はフィルタ枠１１の左右が互いに連結可能なようにソケット形状になっており、フィルタ１０の設置時に一方のソケットの雄型を他の雌型に指し込むことで容易に連結できるようになっている。
【００１６】
本発明のフィルタ取付け構造体は、図３に例示するように、スライド体４０と、固定部材５０と、フィルタ押し付け部材７０と、前記スライド体４０と前記固定部材５０と前記フィルタ押し付け部材７０とをこの順に連結する連結部材６０とから構成されている。
【００１７】
前記スライド体４０としては、フィルタの押し付け方向に対して斜めの方向が長手方向となっている第１の長穴４１を備えており、固定部材５０によって規制されながらスライド可能である限り、その形状は特に限定されず、例えば図３のように中空の４角柱からなる筒状であることも、中空の多角柱であることも、中実の多角柱であることも、断面コ字形のチャンネル状の部材であることも可能である。また、上流側から下流側へ空気が流れないように気密性が保たれる限り、スライド体４０の任意の面において穴が空いた構造であることも可能である。このスライド体４０はフィルタの押し付け方向に対して斜めの方向が長手方向となっている第１の長穴４１を備えていることを必要とする。第１の長穴４１の長手方向とフィルタの押し付け方向とのなす角度αは、理論的には０度を超え９０度未満であればよいが、実際にはスライド体４０の移動距離、フィルタ押し付け部材７０の移動距離などとの関係から６０度〜８５度の範囲にあることが好ましく、６５度〜７５度の範囲にあることがより好ましい。スライド体４０の移動距離を一定とした場合、角度αが大きいほどフィルタ押し付け部材７０の移動距離は短く、フィルタ押し付け部材７０の移動に要する力は小さくなる。
【００１８】
前記固定部材５０としては、フィルタの押し付け方向が長手方向となっている第２の長穴５１を備えており、スライド体４０をスライド可能に規制する限り、その形状は特に限定されず、例えば図３のようにスライド体４０を収納可能な中空の４角柱からなる筒状であることも、断面コ字形のチャンネル状の部材で且つ開口部の一部分にずれ防止のガイド板が設けられておりその部分で筒状になっていることも可能である。また、上流側から下流側へ空気が流れないように気密性が保たれる限り、固定部材５０の任意の面において穴が空いた構造であることも可能である。また、図３に示すように中空の４角柱であれば、上面と下面にそれぞれ、第２の長穴５１を設けると共にフィルタ押し付け部材７０を配置することが可能となる。このため、図１に示すようにフィルタケーシング２０の上段と下段にフィルタ１０を取り付ける場合には、フィルタケーシング２０の上段に取り付けるフィルタ１０の下部と、フィルタケーシング２０の下段に取り付けるフィルタ１０の上部とを同時にフィルタケーシング方向に移動して、上下のフィルタ１０をフィルタケーシング２０に取付けることが可能となり、操作に手間がかからず、且つ部品数を少なくすることができるという利点がある。また、図１に示す形態の固定部材５０をフィルタケーシング２０の受け板２１に固定するにあたり、固定部材５０の一方の端部の受け板２１に接する平板部分を受け板２１の一方の端部に設けた断面コ字形のスリット部材の間隙に指し込むようにすると共に、固定部材５０の他方の端部の受け板２１に接する平板部分を、ボルトやリベット等で受け板２１の他方の端部に固定するようにすれば、溶接によらずとも固定部材５０をフィルタケーシング２０にワンタッチで容易に固定することが可能である。
【００１９】
この固定部材５０はフィルタの押し付け方向が長手方向となっている第２の長穴５１を備えていることを必要とする。第２の長穴５１の長手方向とフィルタの押し付け方向とは一致していることが好ましい。一致しない場合は、固定部材５０の面に配置されたフィルタ押し付け部材７０がフィルタの押し付け方向に移動すると同時にフィルタの押し付け方向と直角の方向にも移動することとなり、フィルタ１０とフィルタケーシング２０の間のシールを確実にすることができなくなる場合がある。このため、第２の長穴５１の長手方向とフィルタの押し付け方向とのなす角度βは、０度〜５度であることが好ましく、０度であることが最も好ましい。
【００２０】
前記フィルタ押し付け部材７０としては、スライド体４０と固定部材５０とフィルタ押し付け部材７０の順に、固定部材５０に隣接して配置されており、且つフィルタケーシング方向に移動して、フィルタ１０をフィルタケーシング２０に押し付けることが可能な構造である限り、その形状は特に限定されず、例えば図３のように固定部材５０の表面を摺動可能な平板状の部材で、断面コ字状のレール７１が設けられていることが可能である。図３では、このレール７１によってフィルタケーシング２０の側方からフィルタ１０を滑らせてレール７１内にフィルタ１０を収納した後に、フィルタ１０をフィルタケーシング２０に押し付けることが可能となっている。
【００２１】
また、例えば図６に例示するように、フィルタ１０が奥行きの長いフィルタ、すなわち空気の入口から出口までの距離の長いフィルタである場合には、フィルタ押し付け部材７０に断面Ｌ字状のレール７２を配置しておき、この断面Ｌ字状のレール７２の立設部分をフィルタの出口側の下方の角にあてて、フィルタ１０をフィルタケーシング方向に移動してフィルタケーシング２０に押し付ける構造とすることも可能である。なお、図６ではフィルタ１０の入口側の下方はフィルタケーシング２０に設けた受け板２１に取付けた支持部材２２によって支えるようにしている。また、この支持部材２２に車輪２３を設け更に固定部材５０にも車輪２４を設け、これらの車輪によってフィルタ１０をレール７２に沿ってフィルタケーシングの側方から滑らせて、所定の位置に収納してから、フィルタケーシング２０に取付ける構造となっている。
【００２２】
前記連結部材６０としては、スライド体４０と固定部材５０とフィルタ押し付け部材７０とをこの順に連結しており、スライド体４０の第１の長穴４１と、固定部材５０の第２の長穴５１とに挿入され且つフィルタ押し付け部材７０に固定されている限り、その形態は特に限定されず、例えば図３のように長ボルト６１とワッシャー６２、６３とナット６４とからなる構造によって、スライド体４０と固定部材５０とフィルタ押し付け部材７０とをこの順に連結し、且つフィルタ押し付け部材７０に固定することが可能である。なお、本発明では、スライド体４０と固定部材５０とフィルタ押し付け部材７０とをこの順に連結しているが、もちろんフィルタ押し付け部材７０と固定部材５０とスライド体４０とをこの順に連結している形態であることも可能である。
【００２３】
図３では、スライド体４０及び固定部材５０は上面と下面を有する中空の４角柱からなる筒状であり、スライド体４０の上面と下面にそれぞれ同位置に同形状の第１の長穴４１を備えており、固定部材５０の上面と下面にそれぞれ同位置に同形状の第２の長穴５１を備えており、さらに、固定部材５０の上面と下面にそれぞれフィルタ押し付け部材７０が摺動可能に配置されており、このフィルタ押し付け部材７０には長ボルト６１が貫通する丸孔７２が設けられている。ここで、長ボルト６１を、ワッシャー６２、フィルタ押し付け部材７０の丸孔７２、固定部材５０の上面の第２の長穴５１、スライド体４０の上面の長穴４１、スライド体４０の下面の長穴４１、固定部材５０の下面の第２の長穴５１、フィルタ押し付け部材７０の丸孔７２、ワッシャー６３の順に貫通させ、その後ナット６４をねじ込むことによって、これらの部材を連結し且つフィルタ押し付け部材７０に長ボルト６１を固定することができる。
【００２４】
なお、図１では、中央に設けたフィルタ取付け構造体３０は図３の形態をしており、上部に設けたフィルタ取付け構造体３０は固定部材５０の上面にはフィルタ押し付け部材７０は配置されておらず、固定部材５０の下面のみにフィルタ押し付け部材７０が配置されている。また、下部に設けたフィルタ取付け構造体３０は固定部材５０の下面にはフィルタ押し付け部材７０は配置されておらず、固定部材５０の上面のみにフィルタ押し付け部材７０が配置されている。
【００２５】
連結部材６０としては前述の長ボルト６１の替わりにリベット（図示しない）を用いることも可能であり、この場合リベットの軸がフィルタ押し付け部材７０の丸穴７２に嵌合するので、固定部材５０の上面にフィルタ押し付け材７０を締め付けて固定する必要がない。そのため固定部材５０の上面をフィルタ押し付け部材７０が摺動し易くなる利点がある。またリベットの頭部は高さが低いため、リベットの頭部の上にレール７１を配することも可能となり、この場合スライド体４０と固定部材５０とフィルタ押し付け部材７０とをそれぞれコンパクトな形態にすることができる利点がある。なおリベットの頭部の上にレール７１を配置するには、リベットの頭部の高さに相当する厚さの薄板を準備してその薄板にリベットの頭部が当たる部分に穴を空けた上で、この薄板をフィルタ押し付け部材７０とフィルタ押し付け部材７０の間に介在させることが望ましい。
【００２６】
本発明では、以上説明した各部材を組み立てることによって、スライド体４０を固定部材５０によって規制しつつスライドさせることにより、フィルタ押し付け部材７０がフィルタケーシング方向に移動して、フィルタ１０をフィルタケーシング２０に押し付けることが可能となっている。図３には、組み立て図の右横に各部材の移動方向が矢印で示されており、各部材が（イ）の列の方向で移動することにより、フィルタ押し付け部材７０がフィルタケーシング方向に移動して、フィルタ１０をフィルタケーシング２０に押し付けることができる。また、各部材が（ロ）の列の方向で移動することにより、フィルタ押し付け部材７０がフィルタケーシング方向と反対方向に移動して、フィルタケーシング２０に押し付けられたフィルタ１０をフィルタケーシング２０から引き離すことができる。あるいはフィルタケーシング２０に押し付けられたフィルタ１０を押し付け状態から開放することができる。
【００２７】
図３において各部材が（イ）の列の方向で移動する場合について説明すると、中空の４角柱からなる筒状のスライド体４０を、中空の４角柱からなる筒状の固定部材５０の中で固定部材５０の中に押し込むようにして左側にスライドすると、スライド体４０の第１の長穴４１及び固定部材５０の第２の長穴に沿って長ボルト６１が前方に移動し、この移動に伴い長ボルト６１に固定されたフィルタ押し付け部材７０、レール７１及びフィルタ１０も前方に移動する。次に各部材が（イ）の列の方向と反対側の方向の（ロ）の列の方向で移動する場合は、中空の４角柱からなる筒状のスライド体４０を、中空の４角柱からなる筒状の固定部材５０の中で固定部材５０の中から引き出すようにして右側にスライドすると、スライド体４０の第１の長穴４１及び固定部材５０の第２の長穴に沿って長ボルト６１が後方に移動し、この移動に伴い長ボルト６１に固定されたフィルタ押し付け部材７０、レール７１及びフィルタ１０も後方に移動する。
【００２８】
なお、図３ではスライド体４０の第１の長穴４１はフィルタの押し付け方向に対して斜めの方向が長手方向となっているが、この斜めの方向として右側が前方になり左側が後方になるようになっている。これに対して、この斜めの方向として左側が前方になり右側が後方になるように第１の長穴４１を配置することによって、スライド体４０を固定部材５０の中から引き出すようにして右側にスライドすると、フィルタ１０は前方に移動し、スライド体４０を固定部材５０の中に押し込むようにして左側にスライドすると、フィルタ１０は後方に移動するように設定することも可能である。
【００２９】
ここで、本発明と特許文献１で開示される従来技術を比較するため、本発明のスライド体４０をエアフィルタ取付け部材のフィルタ押付け材１１０に、固定部材５０をベース材１２０に、フィルタ押し付け部材７０をフィルタ押え材１３０に、連結部材６０を固定軸１２１にそれぞれ対応させた場合、スライド体４０とフィルタ押付け材１１０にはそれぞれフィルタの押し付け方向に対して斜めの方向が長手方向となっている第１の長穴４１又は傾斜スライド穴１１１を備えている点で共通している。しかし、本発明では固定部材５０に押し付け方向が長手方向となっている第２の長穴５１を備えており、連結部材６０がこれらの長穴にそって移動するため、連結部材６０に固定されたフィルタ押し付け部材７０が移動する仕組みになっているのに対して、従来技術ではフィルタ押え材１３０に押し付け方向が長手方向となっているスライド穴１３１を備えており、ベース材１２０に備えられた固定軸１２１がこれらの穴に挿入されているため、固定軸１２１は固定されたままで、この固定軸１２１に沿ってフィルタ押付け材１１０とフィルタ押え材１３０が移動する仕組みとなっている。このように、従来技術では固定軸１２１が固定されているためフィルタ押付け材１１０を前後左右に移動させてフィルタ押え材１３０を前後に移動させる必要があり、そのため操作がしづらいという問題があった。しかし、本発明では連結部材６０自体を移動可能とすることにより、スライド体４０を固定部材５０によって規制しながら一方向にスライドさせるだけでフィルタ押し付け部材７０を前後に移動させることが可能となり、そのためフィルタ取付け操作が容易になったのである。
【００３０】
本発明ではフィルタをフィルタケーシングに押し付けて取付ける際に、前述のようにスライド体４０を固定部材５０によって規制しながら一方向にスライドさせるだけでフィルタ押し付け部材７０を前後に移動させることが可能なため、フィルタの取付け操作が容易である。例えばスライド体４０に後述するような図２、４及び５に示す回動部材８０や図７及び８に示すファスナー部材９０を連結または取付けることで、ワンタッチで操作が行えるようになり、特許文献１のように長ボルト１１２にナット１１４を所定の回転になるまでねじ込む操作を行う場合と比較して大幅に取付け作業の手間が省ける利点がある。また粗塵用フィルタやプレフィルタなどの奥行きの少ないフィルタを連結させて取り付ける場合、図３に示すようにフィルタ押し付け部材７０に断面コ字状のレール７１を設けることも可能であり、それゆえレール７１に連結させたフィルタ１０を揃えて収納した上で、連結させたフィルタ１０に均一に荷重をかけながらフィルタ１０をフィルタケーシング２０に押し付けて取付けることができるという利点がある。また前述したように、図１に示すようにフィルタケーシング２０の上段と下段の両方にフィルタ１０を取り付ける場合には、フィルタケーシング２０の上段に取り付けるフィルタ１０の下部と、フィルタケーシング２０の下段に取り付けるフィルタ１０の上部とを同時にフィルタケーシング方向に移動して、上下のフィルタ１０をフィルタケーシング２０に取付けることが可能となり、操作に手間がかからず、且つ部品数を少なくすることができるという利点がある。
【００３１】
本発明のフィルタ取付け構造体は上述のように、スライド体４０を固定部材５０によって規制しながら一方向にスライドさせるだけでフィルタ押し付け部材７０を前後に移動させることが可能なため、スライド体４０と回動部材とを組み合わせることによって、フィルタの取付け操作を一層容易にすることができる。このような構造としては、例えばスライド体４０の外部に設けた支点を軸として回動する回動部材と、前記スライド体の端部と前記回動部材を連結する第２の連結部材とを備えており、回動部材が回動することにより、スライド体４０が固定部材５０によって規制されながらスライドし、このスライドに伴いフィルタ押し付け部材７０がフィルタケーシング方向に移動して、フィルタ１０をフィルタケーシング２０に押し付けることが可能なフィルタ取付け構造体を挙げることができる。具体的な形態としては、図２、４及び５に示す回動部材８０を備えたフィルタ取付け構造体３０や図７及び８に示すファスナー部材９０を取付けたフィルタ取付け構造体３１を挙げることができる。なお、回動部材とは支点を軸として３６０度以内の角度の範囲で回動する部材のことを意味し、３６０度を超える角度の範囲で回転する部材、すなわち１回転を超える回転数で回転する回転部材とは異なるものである。図２に示すフィルタ取付け構造体３０の場合、回動部材の回動角度は１２０度以下であることが好ましい。また図７に示すフィルタ取付け構造体３１の場合、回動部材の回動角度は支点の位置にもよるが２００度以下であることが好ましい。
【００３２】
図２は図１の中央部分に示すフィルタ取付け構造体３０の断面図であり、（ａ）はフィルタ１０をフィルタケーシング２０に押し付けた状態の横断面と縦断面を示す図であり、（ｂ）はフィルタケーシング２０への押し付けた状態からフィルタ１０を引き離して開放した状態の横断面と縦断面を示す図である。図２（ａ）に例示するフィルタ取付け構造体３０においては、図３に示すように、スライド体４０と、固定部材５０と、フィルタ押し付け部材７０と、これらの部材を連結する連結部材６０とが組み合わされており、さらにスライド体４０の外部に設けた支点２５を軸として回動する回動部材８０と、スライド体４０の端部４２と回動部材８０を連結する第２の連結部材８２とを備えている。そして回動部材８０が支点２５を軸として図の矢印の方向に回動することにより、スライド体４０が固定部材５０によって規制されながら矢印で示すように押し込む方向にスライドし、このスライドに伴いフィルタ押し付け部材７０が矢印で示すようにフィルタケーシング方向に移動して、フィルタ１０をフィルタケーシング２０に押し付けることが可能となっている。また図２（ｂ）においては、回動部材８０が図の矢印の方向に回動することにより、スライド体４０が固定部材５０によって規制されながら矢印で示すように引き出す方向にスライドし、このスライドに伴いフィルタ押し付け部材７０が矢印で示す方向に移動して、フィルタ１０をフィルタケーシング２０へ押し付けた状態からフィルタ１０を引き離して開放することが可能となっている。
【００３３】
回動部材８０としては、スライド体４０の外部に設けた支点２５を軸として回動する機能を有する部材である限り、その形態は特に限定されず、図２に例示する回動部材を一例として挙げることができる。図２では支点２５をフィルタケーシング２０の側部に設けており、側部で回動操作ができるようになっている。したがって、図２においては図１及びその部分拡大図の図４で示すように、フィルタケーシング２０の側面をカバーする扉８１と兼用することも可能である。図１〜４では扉８１を閉める操作に連動してフィルタ１０をフィルタケーシング２０へ押し付けることが可能であり、逆に扉８１を開ける操作に連動してフィルタ１０をフィルタケーシング２０から引き離して開放することが可能である。なお、この回動部材８０は図５に例示するように、軸２５を回動軸として回動するハンドル８３であることも可能である。またハンドル８３を扉８１と連動させることも可能である。
【００３４】
図２では、スライド体４０の端部４２は平板状の部材からなっており、この平板状の部材には棒状の第２の連結部材８２の一端部に形成された突起部８２ａ及び８２ｂが通過しない大きさの穴４３が開けられており、回動部材８０には第２の連結部材８２の他端部に開けられた穴を回動可能に軸支する軸部８４が設けられている。具体的には棒状の第２の連結部材８２はアイボルト８２からなっており、突起部８２ａ及び８２ｂはこのアイボルトにねじ込まれたナット８２ａ及び８２ｂからなっており、これらのナットは所定の間隔をおいて配置されている。そしてスライド体４０の端部４２に穴４３を開けておき、この穴４３にアイボルトのネジ部を通過させた後に、ナット８２ａ及び８２ｂの間にこの穴４３を配置しておき、さらに回動部材８０の軸部８４が有する回動軸８４ａをアイボルト８２の端部の穴８２ｃに挿入することで、アイボルト８２によってスライド体４０の端部４２と回動部材８０を連結する。
【００３５】
そこで、図２（ａ）に示すように回動部材８０が支点２５を軸として図の矢印の方向に回動すると、アイボルト８２は、回動部材８０の軸部８４が有する回動軸８４ａにアイボルト８２の他端の穴８２ｃが軸支された状態で、且つアイボルト８２のネジ部はスライド体４０の端部４２の穴４３によって可動範囲が規制された状態で、この回動軸８４ａを中心として右方向に旋回しながら、アイボルト８２のナット８２ｂがスライド体４０の端部４２の穴４３周囲を矢印の方向に押し込み、それに伴ってスライド体４０も矢印の方向にスライドすることになる。また、図２（ｂ）では回動部材８０が支点２５を軸として図の矢印の方向に回動すると、アイボルト８２は、回動部材８０の軸部８４が有する回動軸８４ａにアイボルト８２の他端の穴８２ｃが軸支された状態で、且つアイボルト８２のネジ部はスライド体４０の端部４２の穴４３によって可動範囲が規制された状態で、この回動軸８４ａを中心として左方向に旋回しながら、アイボルト８２のナット８２ａがスライド体４０の端部４２の穴４３周囲を矢印の方向に引き出すように引張り、それに伴ってスライド体４０も矢印の方向にスライドすることになる。なお、スライド体４０のスライド距離を所定の長さに合わせるには、ナット８２ａと８２ｂの間を調整することで容易に達成することができる。また必要に応じてスライド体４０の端部４２の穴４３を横方向が長手方向となっている長穴とすることで、第２の連結部材８２の左右のゆれに対応することも可能である。
【００３６】
スライド体４０を固定部材５０によって規制しながら一方向にスライドさせるには、前述の回動部材８０を備えたフィルタ取付け構造体３０の外に、図７の組み立て図及びその部分拡大図である図８に例示するように、回動部材としてファスナー部材９０を利用したフィルタ取付け構造体３１を例示することができる。図７にはスライド体４０と、固定部材５０と、フィルタ押し付け部材７０と、これらの部材を連結する連結部材６０とが組み合わされてなる図３で説明したと同様なフィルタ取付け構造体３１が示されている。図７には、組み立て図の右横に各部材の移動方向が矢印で示されており、図３と同様に各部材が（イ）の列の方向で移動することにより、フィルタ押し付け部材７０がフィルタケーシング方向に移動して、フィルタ１０をフィルタケーシング２０に押し付けることができる。また、各部材が（ロ）の列の方向で移動することにより、フィルタ押し付け部材７０がフィルタケーシング方向と反対方向に移動して、フィルタケーシング２０に押し付けられたフィルタ１０をフィルタケーシング２０から引き離すことができる。あるいはフィルタケーシング２０に押し付けられたフィルタ１０を押し付け状態から開放することができる。図３ではスライド体４０の端部４２が平板状の部材からなっていたが、図７ではこの平板状の部材を有しておらず、スライド体４０の端部４２の側面と固定部材５０の端部５２の側面を連結するようにファスナー部材９０が配置されている点で図３と相違する。
【００３７】
図８は図７の組み立て図の一部を拡大した部分拡大図であり、（ａ）はスライド体４０の斜視図であり、（ｂ）は固定部材５０の下部分の斜視図であり、（ｃ）はファスナー部材９０を組み立てた時の立面図であり、（ｄ）はスライド体４０と固定部材５０とを組み立てた図である。図８（ｃ）に示すように、このファスナー部材９０は支点９４を軸として回動部材９１が矢印の方向に回動するようになっており、この回動に伴いこの回動部材９１に連結された第２の連結部材９３が回動部材９１の方向に引き付けられるように移動し、この移動に伴い第２の連結部材９３の先端部に引掛けるようにして連結された掛止部材９２の鉤部９２ａが矢印の方向に移動する。またこれとは逆に、回動部材９１が矢印の方向と逆方向に回動すると、この回動に伴いこの回動部材９１に連結された第２の連結部材９３が回動部材９１の前方に押出されるようにして移動し、この移動に伴い第２の連結部材９３の先端部に連結された掛止部材９２の止め部９２ｂが矢印の方向とは逆方向に押出されるようにして移動する。
【００３８】
ここで、このファスナー部材９０の支点９４と回動部材９１と第２の連結部材９３は図８（ｂ）で示すように固定部材５０の端部５２の側面に設けられており、これに対してファスナー部材９０の掛止部材９２は図８（ａ）で示すようにスライド体４０の端部４２の側面に設けられている。また固定部材５０は回動部材９１の前方に切り欠き部を有しており、この切り欠き部にスライド体４０に設けた掛止部材９２が突出するように組み立てられている。このようにして図８（ｄ）に示すように、スライド体４０が固定部材５０の中に収納された際に、固定部材５０の第２の連結部材９３が切り欠き部から突出したスライド体４０の掛止部材９２に連結している。
【００３９】
その結果、図７及び図８に示すように、固定部材５０の端部５２の側面に設けられたファスナー部材９０の支点９４を軸として回動部材９１を矢印の方向に回動すると、この回動に伴いこの回動部材９１に連結された第２の連結部材９３が回動部材９１の方向に引き付けられるように移動し、この移動に伴い第２の連結部材９３の先端部に引掛けるようにして連結された、スライド体４０の端部４２の側面に設けられた掛止部材９２の鉤部９２ａが矢印の方向に移動するので、固定部材５０によって規制された状態でスライド体４０自体も矢印の方向に移動する。このようにして、スライド体４０、フィルタ押し付け部材７０、及びこれらの部材を連結する連結部材６０の各部材が（イ）の列の方向で移動することにより、フィルタ押し付け部材７０がフィルタケーシング方向に移動して、フィルタ１０をフィルタケーシング２０に押し付けることができる。またこれとは逆に、回動部材９１を矢印の方向と逆方向に回動すると、この回動に伴いこの回動部材９１に連結された第２の連結部材９３が回動部材９１の前方に押出されるようにして移動し、この移動に伴い第２の連結部材９３の先端部に連結された、スライド体４０の端部４２の側面に設けられた掛止部材９２の止め部９２ｂが矢印の方向とは逆方向に押出されるようにして移動するので、固定部材５０によって規制された状態でスライド体４０自体も矢印とは方向に移動する。このようにして、スライド体４０、フィルタ押し付け部材７０、及びこれらの部材を連結する連結部材６０の各部材が（ロ）の列の方向で移動することにより、フィルタ押し付け部材７０がフィルタケーシング方向と反対方向に移動して、フィルタケーシング２０に押し付けられたフィルタ１０をフィルタケーシング２０から引き離すことができる。あるいはフィルタケーシング２０に押し付けられたフィルタ１０を押し付け状態から開放することができる。
【００４０】
図７及び図８では、ファスナー部材９０の回動部材９１をフィルタケーシングの側面から奥の方に向かって回動させることで、スライド体４０を固定部材５０の中で押し込むようにスライドさせて、フィルタ１０をフィルタケーシング２０に押し付けるフィルタ取付け構造体３１の例を挙げて説明したが、これは回動部材８０を適用した場合と比較し易くするために、スライド体４０、フィルタ押し付け部材７０、及びこれらの部材を連結する連結部材６０の各部材が、回動部材８０の場合と同様の方向に作動するように組み立てた一例であり、実際にはファスナー部材９０の回動部材９１をフィルタケーシングの側面から手前に向かって回動させるように配置した方が操作がし易く望ましい構造と考えられる。そのためにはスライド体４０の第１の長穴４１の長手方向を図７とは逆の斜めの方向として、スライド体４０を固定部材５０の中から引き出すことによってフィルタ１０をフィルタケーシング２０に押し付ける構造が採用される。
【符号の説明】
【００４１】
１０  フィルタ
１１  フィルタ枠
１２  パッキン
２０  フィルタケーシング
２１  受け板
２３、２４  車輪
２５  支点、軸、回動軸
３０  フィルタ取付け構造体
４０  スライド体
４１  第１の長穴
４２  スライド体４０の端部
４３  穴
５０  固定部材
５１  第２の長穴
５２  固定部材の端部
６０  連結部材
６１  長ボルト
６２、６３  ワッシャー
６４  とナット
７０  フィルタ押し付け部材
７１、７２  レール
８０  回動部材
８１  扉
８２  第２の連結部材、アイボルト
８２ａ  突起部、ナット
８２ｂ  突起部、ナット
８２ｃ  アイボルトの端部の穴
８３  ハンドル
８４  軸部
８４ａ  回動軸
９０  ファスナー部材
９１  回動部材
９２  掛止部材
９２ａ  掛止部材９２の鉤部
９２ｂ  掛止部材９２の止め部
９３  第２の連結部材
９４  ファスナー部材９０の支点
【図１】
0005575677.tif 000002
【図２】
0005575677.tif 000003
【図３】
0005575677.tif 000004
【図４】
0005575677.tif 000005
【図５】
0005575677.tif 000006
【図６】
0005575677.tif 000007
【図７】
0005575677.tif 000008
【図８】
0005575677.tif 000009
【図９】
0005575677.tif 000010